(57)【要約】  本開示は、回転シャフト及び該回転シャフトを有する電子機器を提供し、前記回転シャフトは、折り畳み可能な電子機器に適用され、前記回転シャフトは、少なくとも１つの回転シャフトアセンブリを含み、前記回転シャフトアセンブリは、回転軸と、前記回転軸に外嵌される歯車と、一端が前記歯車に固定的に接続される第１回転アームと、第１端には、前記歯車に噛み合わされるラックが設置される第２回転アームとを含み、前記第１回転アームが前記歯車を前記回転軸の周りに回転するように駆動することにより、前記第２回転アームの第２端は、前記回転軸から離れる方向又は近づく方向に移動する。
2021535495.tif 000002
【特許請求の範囲】
【請求項１】
折り畳み可能な電子機器に適用される回転シャフトであって、少なくとも１つの回転シャフトアセンブリを含み、前記回転シャフトアセンブリは、
回転軸と、
前記回転軸に外嵌される歯車と、
一端が前記歯車に固定的に接続される第１回転アームと、
第１端には、前記歯車に噛み合わされるラックが設置される第２回転アームとを含み、
前記第１回転アームが前記歯車を前記回転軸の周りに回転するように駆動することにより、前記第２回転アームの第２端は、前記回転軸から離れる方向又は近づく方向に移動する、回転シャフト。
【請求項２】
前記ラックは、フレキシブルラックであり、前記歯車に噛み合わされる前記ラックの部分は、前記歯車の周縁に巻回される、請求項１に記載の回転シャフト。
【請求項３】
前記少なくとも１つの回転シャフトアセンブリは、第１回転シャフトアセンブリ及び第２回転シャフトアセンブリを含み、
前記第１回転シャフトアセンブリのラックは、第１方向に沿って前記第１回転シャフトアセンブリの歯車に巻回され、前記第２回転シャフトアセンブリのラックは、前記第１方向とは反対の方向に沿って前記第２回転シャフトアセンブリの歯車に巻回される、請求項２に記載の回転シャフト。
【請求項４】
前記少なくとも１つの回転シャフトアセンブリは、第３回転シャフトアセンブリ及び第４回転シャフトアセンブリを含み、
前記第３回転シャフトアセンブリのラックと前記第４回転シャフトアセンブリのラックは、同一の方向に沿ってそれぞれ対応する歯車に巻回される、請求項２に記載の回転シャフト。
【請求項５】
前記回転軸に設置され、かつ前記第１回転シャフトアセンブリと前記第２回転シャフトアセンブリとの間に介設された仕切りホイールをさらに含む、請求項３又は４に記載の回転シャフト。
【請求項６】
第１開口が設置されるスリーブをさらに含み、前記ラックは、前記スリーブと前記歯車との間に少なくとも部分的に介設され、前記第２回転アームは、前記第１開口を貫通し、かつ前記スリーブの外に延びる、請求項１〜４のいずれか１項に記載の回転シャフト。
【請求項７】
前記スリーブ上に第２開口がさらに設置され、前記第１回転アームは、前記第２開口を貫通し、かつ前記スリーブの外に延び、前記第２開口の開口方向は、前記第１開口の開口方向とは反対である、請求項６に記載の回転シャフト。
【請求項８】
前記第１回転アームは、前記歯車の一端に固定される、請求項６に記載の回転シャフト。
【請求項９】
前記回転シャフトの端部に覆設されるキャップをさらに含み、前記キャップは、
前記スリーブの端部に合わせ、かつ内部に前記スリーブの一端が係止される係合溝と、
前記回転軸から離れる方向に向かって凹んで形成され、かつ内部に前記歯車に接続された前記第１回転アームの一端が係止される係止部と、を含む、請求項８に記載の回転シャフト。
【請求項１０】
第１ケースと、第２ケースと、前記第１ケース及び前記第２ケースに設置されるフレキシブルスクリーンと、を含む電子機器であって、請求項１〜９のいずれか１項に記載の回転シャフトをさらに含み、前記第１回転アームの他端は、前記第１ケース又は第２ケースの一方に接続され、前記第２回転アームの第２端は、前記第１ケース又は第２ケースの他方に接続される、電子機器。
【発明の詳細な説明】
【技術分野】
【０００１】
本願は、２０１８年８月２９日に提出された中国特許出願第２０１８１０９９５６６２．５号の優先権を主張するものであり、その全ての内容は参照により本願に組み込まれるものとする。
【０００２】
本開示は、電子機器の技術分野に関し、特に回転シャフト及び該回転シャフトを有する電子機器に関する。
【背景技術】
【０００３】
携帯電話、コンピュータなどの電子機器が広く普及して発展するにつれて、電子機器のスクリーンのサイズに対するユーザの要求がますます高くなっている。電子機器のスクリーンを大きくしやすくするとともに、電子機器が大き過ぎることにより、携帯しにくく、占有スペースが大きいなどの課題を回避するために、折り畳み可能なフレキシブルスクリーンが生まれている。
【０００４】
図１ａ、図１ｂ、図２ａ及び図２ｂに示すように、従来技術において、フレキシブルスクリーン１０１の一側に第１筐体１０２及び第２筐体１０３が設置され、第１筐体１０２と第２筐体１０３が回転シャフト１０４を介して接続され、ビデオ、電子書籍などを見るために電子機器のスクリーンを展開する必要がある場合に、第１筐体１０２及び第２筐体１０３は、回転シャフト１０４の周りに回転し、フレキシブルスクリーン１０１を展開して図２ａ及び図２ｂに示すような展開状態となるように駆動する。携帯、収納などのために電子機器のスクリーンを小さくする必要がある場合に、第１筐体１０２及び第２筐体１０３は、前記回転シャフト１０４の周りに回転し、フレキシブルスクリーン１０１を折り曲げさせて図１ａ及び図１ｂに示すような折り畳み状態となるように駆動する。折り畳み状態で、電子機器の第１筐体１０２及び第２筐体１０３が折り畳まれることにより、折り畳み状態で前記電子機器のサイズを小さくし、携帯しやすいという効果を達成する。
【０００５】
しかしながら、図２ａに示すように、展開状態で、第１筐体１０２と第２筐体１０３の、前記回転シャフト１０４の軸方向に垂直な方向に沿う長さの和が折り畳み状態でのものよりも小さくなるため、前記フレキシブルスクリーン１０１は展開状態でシワが発生することにより、前記フレキシブルスクリーン１０１の見栄えが低下し、かつ前記フレキシブルスクリーン１０１の耐用年数が低下する。
【０００６】
これから分かるように、従来技術における回転シャフトは、フレキシブルスクリーンの耐用年数が低下するという課題が存在することが分かる。
【発明の概要】
【発明が解決しようとする課題】
【０００７】
本開示の実施例は、従来技術における回転シャフトによるフレキシブルスクリーンの耐用年数が低下するという課題を解決するために、回転シャフト及び該回転シャフトを有する電子機器を提供する。
【課題を解決するための手段】
【０００８】
上記技術的課題を解決するために、本開示は、以下の技術手段を採用する。
【０００９】
第１の態様では、本開示の実施例に係る、第１ケース及び第２ケースを有する折り畳み可能な電子機器に適用される回転シャフトは、少なくとも１つの回転シャフトアセンブリを含み、前記回転シャフトアセンブリは、回転軸と、前記回転軸に外嵌される歯車と、一端が前記歯車に固定的に接続される第１回転アームと、第１端には、前記歯車に噛み合わされるラックが設置される第２回転アームとを含み、前記第１回転アームが前記歯車を前記回転軸の周りに回転するように駆動することにより、前記第２回転アームの第２端が前記回転軸から離れる方向又は近づく方向に移動する。
【００１０】
好ましくは、前記ラックは、フレキシブルラックであり、前記歯車に噛み合わされる前記ラックの部分は、前記歯車の周縁に巻回される。
【００１１】
好ましくは、前記少なくとも１つの回転シャフトアセンブリは、第１回転シャフトアセンブリ及び第２回転シャフトアセンブリを含み、前記第１回転シャフトアセンブリのラックは、第１方向に沿って前記第１回転シャフトアセンブリの歯車に巻回され、前記第２回転シャフトアセンブリのラックは、前記第１方向とは反対の方向に沿って前記第２回転シャフトアセンブリの歯車に巻回される。
【００１２】
好ましくは、前記少なくとも１つの回転シャフトアセンブリは、第３回転シャフトアセンブリ及び第４回転シャフトアセンブリを含み、前記第３回転シャフトアセンブリのラックと前記第４回転シャフトアセンブリのラックは、同一の方向に沿ってそれぞれ対応する歯車に巻回される。
【００１３】
好ましくは、前記回転シャフトは、前記回転軸に設置され、かつ前記第１回転シャフトアセンブリと前記第２回転シャフトアセンブリとの間に介設された仕切りホイールをさらに含む。
【００１４】
好ましくは、前記回転シャフトは、第１開口が設置されるスリーブをさらに含み、前記ラックは、前記スリーブと前記歯車との間に少なくとも部分的に介設され、前記第２回転アームは、前記第１開口を貫通し、かつ前記スリーブの外に延びる。
【００１５】
好ましくは、前記スリーブ上に第２開口がさらに設置され、前記第１回転アームは、前記第２開口を貫通し、かつ前記スリーブの外に延び、前記第２開口の開口方向は、前記第１開口の開口方向とは反対である。
【００１６】
好ましくは、前記第１回転アームは、前記歯車の一端に固定される。
【００１７】
好ましくは、前記回転シャフトは、前記回転シャフトの端部に覆設されるキャップをさらに含み、前記キャップは、前記スリーブの端部に合わせ、かつ内部に前記スリーブの一端が係止される係合溝と、前記回転軸から離れる方向に向かって凹んで形成され、かつ内部に前記歯車に接続された前記第１回転アームの一端が係止される係止部と、を含む。
【００１８】
第２の態様では、本開示の実施例に係る電子機器は、第１ケースと、第２ケースと、前記第１ケース及び前記第２ケースに設置されるフレキシブルスクリーンと、前記回転シャフトとを含み、前記第１回転アームの他端は、前記第１ケース又は第２ケースの一方に接続され、前記第２回転アームの第２端は、前記第１ケース又は第２ケースの他方に接続される。
【００１９】
本開示の実施例では、第２回転アームにラックを設置することにより、歯車の回転に伴って第２回転アームの延びる長さを長くしたり短くしたりすることができるため、ケースを回転軸から離れる方向又は近づく方向に移動させることができる。このように、電子機器の展開又は折り畳み過程において、ケースとケースとの間の距離が調整可能となることにより、フレキシブルスクリーンが展開するときに常に伸張状態を保持し、フレキシブルスクリーンの展開時にシワが発生するという課題を回避することができる。
【００２０】
本開示の実施例の技術手段をより明確に説明するために、以下、実施例又は従来技術の説明に必要な図面を簡単に説明し、明らかに、以下に説明される図面は、本開示のいくつかの実施例に過ぎず、当業者であれば、創造的な労働をしない前提で、これらの図面に基づいて他の図面を得ることができる。
【図面の簡単な説明】
【００２１】
【図１ａ】従来技術における折り畳みスクリーンが折り畳み状態にある正面図である。
【図１ｂ】従来技術における折り畳みスクリーンが折り畳み状態にある上面図である。
【図２ａ】従来技術における折り畳みスクリーンが展開状態にある正面図である。
【図２ｂ】従来技術における折り畳みスクリーンが展開状態にある上面図である。
【図３ａ】回転シャフトアセンブリが折り畳み状態にある構成図である。
【図３ｂ】回転シャフトアセンブリが展開状態にある構成図である。
【図４】別の回転シャフトアセンブリが展開状態にある構成図である。
【図５】本開示の実施例に係る回転シャフトが折り畳み状態にある構成図である。
【図６】図５における回転シャフトの分解図である。
【図７】本開示の実施例に係る回転シャフトが展開状態にある構成図である。
【図８】図７における回転シャフトが展開状態にある分解図である。
【図９】本開示の実施例に係る回転シャフトが折り畳み状態にある上面図である。
【図１０】図９におけるＡ−Ａ方向に沿った断面図である。
【図１１】本開示の実施例に係る回転シャフトが展開状態にある上面図である。
【図１２】図１１におけるＢ−Ｂ方向に沿った断面図である。
【発明を実施するための形態】
【００２２】
以下、本開示の実施例における図面を参照しながら、本開示の実施例における技術手段を明確かつ完全に説明する。明らかに、説明される実施例は、本開示の実施例の一部であり、全てではない。本開示の実施例に基づいて、当業者が創造的な労働をしない前提で得られる他の全ての実施例は、いずれも本開示の保護範囲に属するものである。
【００２３】
本開示の実施例に係る回転シャフトは、折り畳み可能な電子機器に取り付けられて、従来技術における、電子機器に装着されたフレキシブルスクリーンの展開によりシワが発生することを解決することにより、電子機器及びフレキシブルスクリーンの耐用年数を延長することができる。
【００２４】
図３ａ及び図３ｂを参照すると、本開示の実施例に係る、折り畳み可能な電子機器に適用される回転シャフトは、少なくとも１つの回転シャフトアセンブリ３１を含み、回転シャフトアセンブリ３１は、回転軸３１１と、回転軸３１１に外嵌される歯車３１２と、一端が歯車３１２に固定的に接続される第１回転アーム３１３と、第１端には、歯車３１２に噛み合わされるラック３１４１が設置される第２回転アーム３１４とを含み、第１回転アーム３１３が歯車３１２を回転軸３１１の周りに回転するように駆動することにより、第２回転アーム３１４の第２端は、回転軸３１１から離れる方向又は近づく方向に移動する。
【００２５】
第２回転アーム３１４は、回転軸３１１に垂直な方向に延びる。
【００２６】
具体的な適用過程において、上記回転シャフトは、電子機器の第１ケースと第２ケースとの間に取り付けられ、例えば、第１ケースが第１回転アーム３１３に固定され、第２ケースが第２回転アーム３１４に固定され、図３ａに示すような折り畳み状態（第１ケース及び第２ケースを図示せず）で、第１回転アーム３１３と第２回転アーム３１４とが同一の方向に延びることにより、第１ケース及び第２ケースが折り畳まれて、電子機器の面積を縮小する。展開状態で、第１回転アーム３１３と第２回転アーム３１４とが回転シャフトアセンブリ３１の作用によって反対方向に延びることにより、第１ケースと第２ケースとが同一の水平面に位置して、電子機器の面積を増大させる。
【００２７】
折り畳み状態から展開状態へ移行する過程において、第１回転アーム３１３は、第１ケースの作用により、歯車３１２を回転軸３１１の周りに９０度回転するように駆動することにより、歯車３１２に噛み合わされるラック３１４１を第２回転アーム３１４の第２端の位置する方向に移動するように駆動して（すなわち、ラック３１４１と歯車３１２の噛み合い面積を減少させ）、第２回転アーム３１４の長さを延長し、第２ケースを第１ケースから離れる方向に移動するように押し動かし、第１ケース及び第２ケースに装着されるフレキシブルスクリーンの展開によりシワが発生することを回避するという効果を達成することができる。
【００２８】
好ましくは、ラック３１４１は、フレキシブルラックであり、ラック３１４１の歯車３１２に近い端は、歯車３１２の周縁に巻回され、かつ歯車３１２に噛み合わされ、歯車３１２の周縁に巻回されないラック３１４１の部分と第２回転アーム３１４とは、同一の方向に延びる。
【００２９】
このように、フレキシブルラックは、歯車に巻回することができ、直線に沿って延びる剛性ラックに比べて、巻回方式でラックの長さを短くすることにより、ラックの占有スペースを低減し、回転シャフトの占有スペースを低減するという効果を達成することができる。
【００３０】
もちろん、ラック３１４１は、図４に示すような剛性構造であってもよく、従来技術では、回転シャフト１０４の外径及びケースの厚さに起因して、フレキシブルスクリーン１０１が折り畳み状態から展開状態へ移行する過程において、フレキシブルスクリーン１０１の回転シャフト１０４に垂直な方向に沿う長さが電子機器の回転シャフト１０４に垂直な方向に沿う幅よりも大きくなり、このためシワが形成される。
【００３１】
図４に示すように、ラック３１４１が剛性ラックである場合に、電子機器の展開時に、剛性ラックが十分な余裕を持つことで第２回転アーム３１４の第２端により一方のケースを、他方のケースから離れる方向に移動するように押し動かすことができるために、折り畳み状態で、剛性ラックの第２回転アーム３１４から離れた端は、回転軸３１１に垂直な方向に突出端を有してよく、歯車３１２は、ラック３１４１の突出端と第２回転アーム３１４に近い端との間に噛み合わされ、回転シャフト３００が展開して展開状態となる過程において、歯車３１２は、回転し、かつラック３１４１に対して突出端の位置する方向に移動することにより、剛性ラックを第２回転アーム３１４の第２端の位置する方向に移動するように駆動して、第２回転アーム３１４の第２端により電子機器のケースを押し引きすることでフレキシブルスクリーンにシワが発生することを防止するという効果を達成する。
【００３２】
また、ラック３１４１の材質を弾性材料にすることにより、歯車３１２に噛み合わされるラック３１４１の部分が自体の弾性力によって歯車３１２に巻回することができ、該弾性材料で製造されたラック３１４１の、歯車３１２の周縁に巻回される長さが少なくとも歯車３１２の周長の１／２倍よりも大きくなるため、弾性ラック自体の弾性力によって歯車３１２との噛み合いを保持することができる。
【００３３】
もちろん、さらに、ラック３１４１の外側にスリーブを設置することによりフレキシブルラック３１４１を歯車３１２の周縁に押し当てて、歯車３１２との噛み合いを達成することができる。
【００３４】
また、図３ａ及び図３ｂに示すように、第１回転アーム３１３は、歯車３１２の一端に固定的に接続される。
【００３５】
もちろん、第１回転アーム３１３は、歯車３１２の周縁に固定されてもよく、ここでは具体的に限定されるものではない。
【００３６】
本開示の実施例では、第２回転アームにラックを設置することにより、歯車の回転に伴って第２回転アームの延びる長さを長くしたり短くしたりすることができるため、ケースを回転軸から離れる方向又は近づく方向に移動させることができる。このように、電子機器の展開又は折り畳み過程において、ケースとケースとの間の距離が調整可能となることにより、フレキシブルスクリーンが展開するときに常に伸張状態を保持し、フレキシブルスクリーンの展開時にシワが発生するという課題を回避することができる。
【００３７】
図５〜図８を参照すると、本開示の実施例に係る回転シャフト５００は、第１回転シャフトアセンブリ５１及び第２回転シャフトアセンブリ５２を含む。
【００３８】
図６及び図７に示すように、第１回転シャフトアセンブリ５１及び第２回転シャフトアセンブリ５２は、前の実施例に係る回転シャフトアセンブリ３１の構造と同じであり、かつ第１回転シャフトアセンブリ５１と第２回転シャフトアセンブリ５２の回転軸は、同一の回転軸５３である。
【００３９】
具体的には、図６及び７に示すように、第１回転シャフトアセンブリ５１は、第１歯車５１１と、第１歯車５１１の軸方向に垂直に延び、第１歯車５１１に接続される第１回転アーム５１２と、第１端には第１ラック５１４が設置される第２回転アーム５１３とを含み、第１ラック５１４の少なくとも一部が第１歯車５１１に噛み合わされ、かつ第１歯車５１１に噛み合わされる第１ラック５１４の部分が該第１歯車５１１に巻回される。
【００４０】
図６及び図７に示すように、第２回転シャフトアセンブリ５２は、第２歯車５２１と、第２歯車５２１の軸方向に垂直であり、第２歯車５２１に接続される第３回転アーム５２２と、第１端には第２ラック５２４が設置される第４回転アーム５２３とを含み、第２ラック５２４の少なくとも一部が第２歯車５２１に噛み合わされ、かつ第２歯車５２１に噛み合わされる第２ラック５２４の部分が該第２歯車５２１に巻回される。
【００４１】
また、上記回転シャフト５００に含まれる回転シャフトアセンブリは、２つに限定されるものではなく、回転シャフトアセンブリの数は、１つ、３つ又は４つなどの、任意の数であってもよく、かつ同一又は類似の有益な効果を達成することができ、ここでは具体的に限定しない。
【００４２】
また、回転シャフト５００は、図９及び図１０に示すような折り畳み状態と、図１１及び図１２に示すような展開状態とを含む。
【００４３】
図９及び図１０に示すような折り畳み状態で、第１回転アーム５１２、第２回転アーム５１３、第３回転アーム５２２及び第４回転アーム５２３が同一の方向に延びる。
【００４４】
このように、折り畳み状態で、回転シャフトが取り付けられた電子機器の占有スペースを低減して、携帯、収納などを便利にすることができる。
【００４５】
図１１及び図１２に示すような展開状態で、第１回転アーム５１２と第４回転アーム５２３が同一の方向に延び、第２回転アーム５１３と第３回転アーム５２２が同一の方向に延び、かつ、第１回転アーム５１２及び第４回転アーム５２３の延びる方向は、第２回転アーム５１３及び第３回転アーム５２２の延びる方向と反対である。
【００４６】
なお、第１ラック５１４が第１歯車５１３に巻回される方向は、第２ラック５２４が第２歯車５２１に巻回される方向と反対である。
【００４７】
折り畳み状態から展開状態へ展開する過程において、第１回転アーム５１２が図１０に示す第１方向Ｃに沿って９０度回転し、第２回転アーム５１３が第２方向Ｄに沿って９０度回転することにより、第１歯車５１１は、該第１歯車５１１に噛み合わされる第１ラック５１４を第２回転アーム５１３の位置する方向に延びるように駆動して、第２回転アーム５１３の長さを延長し、第１方向Ｃと第２方向Ｄとが互いに反対の方向である。
【００４８】
このように、第１回転シャフトアセンブリの第２回転アームと第２回転シャフトアセンブリの第４回転アームとが反対方向に延びて、電子機器に取り付けられたフレキシブルスクリーンを反対の両側に向かって対称的に伸ばさせることにより、フレキシブルスクリーンにシワが発生することを防止し、上記フレキシブルスクリーンの見栄え及び耐用年数を向上させるという効果を達成することができる。
【００４９】
また、第２回転シャフトアセンブリ５２が折り畳み状態から展開状態へ展開する過程において、第４回転アーム５２３が延び、その具体的な過程は、第１回転シャフトアセンブリ５１の第２回転アーム５１３の延び過程と同じであり、かつ第１回転シャフトアセンブリ５１と第２回転シャフトアセンブリ５２とは、同期して展開と折り畳み状態を切り替える。
【００５０】
具体的には、図７に示すように、展開状態で、第１回転アーム５１２と第４回転アーム５２３が同一の方向に延び、第２回転アーム５１３と第３回転アーム５２２が同一の方向に延び、かつ、第１回転アーム５１２及び第４回転アーム５２３の延びる方向は、第２回転アーム５１３及び第３回転アーム５２２の延びる方向と反対である。
【００５１】
このように、展開状態で、第２回転アーム５１３と第４回転アーム５２３とが反対方向に延びることにより、回転シャフト５００の延長長さは、電子機器のフレキシブルスクリーンの展開によって発生したシワを伸ばすために使用することができ、フレキシブルスクリーンを展開状態で常に平らに保持し、フレキシブルスクリーンの見栄え及び耐用年数を向上させることができる。
【００５２】
もちろん、第１ラック５１４が第１歯車５１３に巻回される方向は、第２ラック５２４が第２歯車５２１に巻回される方向と同じであってよい。
【００５３】
本実施例では、電子機器の第１ケースが同時に第２回転アーム５１３及び第４回転アーム５２３に固定的に接続され、第２ケースが第１回転アーム５１２及び第３回転アーム５２２に固定的に接続されることにより（図示せず）、回転シャフトが回転して展開状態に移行する過程において、第２回転アーム５１３と第４回転アーム５２３は、接続されて同一の方向に延びて、共同して電子機器の第１ケースを第２ケースから離れる方向に移動するように駆動し、第１ケース及び第２ケースに設置されたフレキシブルスクリーンの展開によりシワが発生することを防止する。
【００５４】
このように、展開状態で、第２回転アームと第４回転アームとが同一の方向に延びることにより、電子機器の、第２回転アーム及び第４回転アームに接続された一方のケースが他方のケースから離れる方向に移動して、フレキシブルスクリーンにシワが発生することを防止するという効果を達成することができる。
【００５５】
好ましくは、図６に示すように、上記回転シャフト５００は、回転軸５３に設置された仕切りホイール５３１をさらに含み、回転軸５３の両端は、それぞれ第１歯車５１１と第２歯車５２１を貫通し、仕切りホイール５３１は、第１歯車５１１と第２歯車５２１との間に介設される。
【００５６】
このように、第１歯車と第２歯車との逆回転による摩擦を低減し、また、第１ラックと第２ラックが仕切りホイールに近づく方向にずれることを制限することにより、回転シャフトの構造信頼性を向上させる。
【００５７】
好ましくは、図６に示すように、回転シャフト５００は、第１開口５４１が設置されるスリーブ５４をさらに含み、第２ラック５２４は、スリーブ５４と第２歯車５２１との間に少なくとも部分的に介設され、第４回転アーム５２３は、第１開口５４１を貫通し、かつスリーブ５４の外に延びる。
【００５８】
また、スリーブ５４上に第２開口５４２がさらに設置され、第３回転アーム５２２は、第２開口５４２を貫通し、かつスリーブ５４の外に延び、第２開口５４２の開口方向は、第１開口５４１の開口方向とは反対である。
【００５９】
なお、第１開口５４１及び第２開口５４２の、スリーブ５４の周縁の方向に沿う長さが少なくともスリーブの周長の１／４倍よりも大きいことにより、第３回転アーム５２２が第２方向Ｄに９０°回転し、かつ第４回転アーム５２３が第１方向Ｃに９０°回転することができる。
【００６０】
このように、スリーブによって回転シャフトの構造をより強固にすると共に、回転シャフトの外観をより美しく滑らかにすることができる。
【００６１】
なお、上記構造は、第１回転シャフトアセンブリ５１に同様に適用し、ここでは、第２回転シャフトアセンブリ５２のみを例にして具体的に説明し、分析する。
【００６２】
好ましくは、第１回転アーム５１２は、第１歯車５１１の一端に固定される。
【００６３】
図６に示すように、本実施例では、２つの回転シャフトアセンブリを含み、第１回転シャフトアセンブリ５１と第２回転シャフトアセンブリ５２との間に仕切りホイール５３１が介設されると、第１回転アーム５１２は、第１歯車５１１の仕切りホイール５３１から離れた端に固定される。
【００６４】
このように、スリーブ５４上の第１開口５４１と第２開口５４２とをスリーブ５４の軸方向にずらして、スリーブ５４の構造強度を高めることができる。
【００６５】
なお、上記第１回転シャフトアセンブリ５１の構造は、第２回転シャフトアセンブリ５２に同様に適用し、重複を避けるために、ここでは第１回転シャフトアセンブリ５１の構造のみを具体的に分析する。
【００６６】
好ましくは、回転シャフト５００は、回転シャフト５００の端部に覆設される第１キャップ５５をさらに含み、第１キャップ５５は、スリーブ５４の端部に合わせ、かつ内部にスリーブ５４の一端が係止される係合溝５５１と、回転軸５３から離れる方向に向かって凹んで形成され、かつ内部に第１歯車５１１に接続された第１回転アーム５１２の一端が係止される係止部５５２と、を含む。
【００６７】
また、回転シャフト５００の他端には、第１キャップ５５と同じ構造を有する第２キャップ５６が設置され、かつスリーブ５４が第１キャップ５５に接続される構造１は、第２キャップ５６に同様に適用する。
【００６８】
回転軸５３の対向する両端がそれぞれ第１歯車５１１と第２歯車５２１を貫通することにより、第１歯車５１１及び第２歯車５２１は、回転軸５３の周りに回転することができる。
【００６９】
また、回転軸５３の対向する両端がそれぞれ第１キャップ５５と第２キャップ５６の仕切りホイール５３１に近い側に当接することで、回転軸５３の変位を第１キャップ５５及び第２キャップ５６により制限する。
【００７０】
このように、スリーブの両端に第１キャップと第２キャップを接続して、スリーブが軸方向に沿って摺動することを防止すると共に、第１歯車及び第２歯車が軸方向に沿ってスリーブから外れることを制限することにより、回転シャフトの構造をより確実にすることができる。
【００７１】
本開示の実施例に係る電子機器は、第１ケースと、第２ケースと、第１ケース及び第２ケースに設置されるフレキシブルスクリーンと、図３ａ〜図１２に示す任意の回転シャフトと、を含み、第１ケースと第２ケースとは、回転シャフトを介して接続される。
【００７２】
具体的には、回転シャフトが図３ａ〜図４に示すような１つの回転シャフトアセンブリのみを含む場合に、第１ケースと第２ケースをそれぞれ回転シャフトアセンブリの第１回転アームと第２回転アームに固定的に接続することができる。
【００７３】
第１ケース及び第２ケースを開くときに、第１回転アームと第２回転アームとを同一の水平面に位置するように駆動し、かつ第２回転アームの長さを延長することにより、第１ケースと第２ケースとの間の距離を大きくし、フレキシブルスクリーンを伸ばし、フレキシブルスクリーンにシワが発生することを回避するという効果を達成することができる。
【００７４】
回転シャフトが図５〜図１２に示すような第１回転シャフトアセンブリ及び第２回転シャフトアセンブリを含み、かつ２つの回転シャフトアセンブリのラックがそれぞれ反対方向に沿ってそれぞれ対応する歯車に巻回された場合に、第１ケースを第４回転アームに接続させ、かつ第１回転アームに摺接させ、第２ケースを第２回転アームに接続させ、かつ第３回転アームに摺接させることができ、このように、固定長の第１回転アーム及び第３回転アームが第１ケース及び第２ケースの、上記回転軸から離れる方向又は近づく方向への移動を阻害することを防止することができる。
【００７５】
第１ケース及び第２ケースを開いて電子機器を展開させるときに、第１回転アーム、第２回転アーム、第３回転アーム及び第４回転アームを同一の水平面に位置するように駆動し、かつ第２回転アームと第４回転アームの長さをそれぞれ反対又は同一の方向に延長することにより、第１ケースと第２ケースとの間の距離を大きくし、反対の両側に沿って対称的にフレキシブルスクリーンを伸ばし、フレキシブルスクリーン上で第１ケースと第２ケースとの間に形成されるシワを解消するという効果を達成することができる。
【００７６】
本開示の実施例に係る電子機器は、第１ケースと第２ケースとの間には前の実施例に係る回転シャフトを設置することで、展開状態で第１ケース及び第２ケースに装着されたフレキシブルスクリーンにシワが発生するという欠陥を防止することにより、電子機器をより美しくし、かつ電子機器の耐用年数を延長するという効果を達成する。
【００７７】
以上の内容は、本開示の具体的な実施形態に過ぎないが、本開示の保護範囲は、これに限定されるものではなく、当業者であれば本開示に開示された技術的範囲内に容易に想到し得る変化又は置換は、いずれも本開示の保護範囲に含まれるべきである。したがって、本開示の保護範囲は、特許請求の範囲の保護範囲を基準とするべきである。
【図１ａ】
2021535495.tif 000003
【図１ｂ】
2021535495.tif 000004
【図２ａ】
2021535495.tif 000005
【図２ｂ】
2021535495.tif 000006
【図３ａ】
2021535495.tif 000007
【図３ｂ】
2021535495.tif 000008
【図４】
2021535495.tif 000009
【図５】
2021535495.tif 000010
【図６】
2021535495.tif 000011
【図７】
2021535495.tif 000012
【図８】
2021535495.tif 000013
【図９】
2021535495.tif 000014
【図１０】
2021535495.tif 000015
【図１１】
2021535495.tif 000016
【図１２】
2021535495.tif 000017
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
折り畳み可能な電子機器に適用される回転シャフトであって、少なくとも１つの回転シャフトアセンブリを含み、前記回転シャフトアセンブリは、
回転軸と、
前記回転軸に外嵌される歯車と、
一端が前記歯車に固定的に接続される第１回転アームと、
第１端には、前記歯車に噛み合わされるラックが設置される第２回転アームとを含み、
前記第１回転アームが前記歯車を前記回転軸の周りに回転するように駆動することにより、前記第２回転アームの第２端は、前記回転軸から離れる方向又は近づく方向に移動する、回転シャフト。
【請求項２】
前記ラックは、フレキシブルラックであり、前記歯車に噛み合わされる前記ラックの部分は、前記歯車の周縁に巻回される、請求項１に記載の回転シャフト。
【請求項３】
前記少なくとも１つの回転シャフトアセンブリは、第１回転シャフトアセンブリ及び第２回転シャフトアセンブリを含み、
前記第１回転シャフトアセンブリのラックは、第１方向に沿って前記第１回転シャフトアセンブリの歯車に巻回され、前記第２回転シャフトアセンブリのラックは、前記第１方向とは反対の方向に沿って前記第２回転シャフトアセンブリの歯車に巻回される、請求項２に記載の回転シャフト。
【請求項４】
前記少なくとも１つの回転シャフトアセンブリは、第３回転シャフトアセンブリ及び第４回転シャフトアセンブリを含み、
前記第３回転シャフトアセンブリのラックと前記第４回転シャフトアセンブリのラックは、同一の方向に沿ってそれぞれ対応する歯車に巻回される、請求項２に記載の回転シャフト。
【請求項５】
前記回転軸に設置され、かつ前記第１回転シャフトアセンブリと前記第２回転シャフトアセンブリとの間に介設された仕切りホイールをさらに含む、請求項３又は４に記載の回転シャフト。
【請求項６】
一つの開口が設置されるスリーブをさらに含み、前記ラックは、前記スリーブと前記歯車との間に少なくとも部分的に介設され、前記第２回転アームは、前記第１開口を貫通し、かつ前記スリーブの外に延びる、請求項１〜４のいずれか１項に記載の回転シャフト。
【請求項７】
前記スリーブ上にもう一つの開口がさらに設置され、前記第１回転アームは、前記もう一つの開口を貫通し、かつ前記スリーブの外に延び、前記開口の開口方向は、前記もう一つの開口の開口方向とは反対である、請求項６に記載の回転シャフト。
【請求項８】
前記第１回転アームは、前記歯車の一端に固定される、請求項６に記載の回転シャフト。
【請求項９】
前記回転シャフトの端部に覆設されるキャップをさらに含み、前記キャップは、
前記スリーブの端部に合わせ、かつ内部に前記スリーブの一端が係止される係合溝と、
前記回転軸から離れる方向に向かって凹んで形成され、かつ内部に前記歯車に接続された前記第１回転アームの一端が係止される係止部と、を含む、請求項８に記載の回転シャフト。
【請求項１０】
第１ケースと、第２ケースと、前記第１ケース及び前記第２ケースに設置されるフレキシブルスクリーンと、を含む電子機器であって、請求項１〜９のいずれか１項に記載の回転シャフトをさらに含み、前記第１回転アームの他端は、前記第１ケース又は第２ケースの一方に接続され、前記第２回転アームの第２端は、前記第１ケース又は第２ケースの他方に接続される、電子機器。
【国際調査報告】
2021535495.tif 000018
2021535495.tif 000019
2021535495.tif 000020
2021535495.tif 000021